(57)【特許請求の範囲】
【請求項１】
薬を１回に服用すべき単位で分別して収納可能な薬箱であって、
上面及び前面が開口された箱体と、
前記箱体にその前面から引き出し自在に取り付けられ、各回服用分の薬を収容可能である薬分別部が複数形成され、前記箱体の前面からの引き抜きにより上下段の当該薬収納ケースを取り換え可能に前記箱体に収容されている複数の薬収納ケースと、
前記箱体の上部の背面部に回動自在に取り付けられ、当該箱体の上面を開閉自在とし、開けた状態において、前記箱体内に備えられている最上段の前記薬収納ケースのみを開放する上蓋部と、
前記箱体の前面下部に回動自在に取り付けられ、当該箱体の前面を開閉自在とし、当該箱体の前面を開けた状態において、前記薬収納ケースを前記引き出し及び引き抜き可能な状態に開放する前面扉部とを備え、
前記上蓋部には、当該上蓋部が前記最上段の前記薬収納ケースを覆って前記箱体の上部を閉じた状態であるときに、前記箱体の前面を閉じた状態にある前記前面扉部の上部に係止して当該前面扉部の回動動作を規制する位置に係止部が設けられ、当該係止部は、前記上蓋部が最上段の前記薬収納ケースを開放する状態にあるときに前記前面扉部との係止が解除される薬箱。
【請求項２】
前記前面扉部を閉じた状態において、前面扉部の内壁面と少なくとも最上部の前記薬収納ケースの前面部とが当接し、当該薬収納ケースの後端部が前記箱体の内壁に当接するように構成されている請求項１に記載の薬箱。
【請求項３】
前記箱体の底面の４隅にすべり止めが取り付けられている請求項１又は請求項２に記載の薬箱。
【発明の詳細な説明】
【０００１】
【発明の属する技術分野】
本発明は、薬を１回に服用すべき単位で分別して収納可能な薬箱に関する。
【０００２】
【従来の技術】
従来より、医療機関から数日分の薬を複数種類まとめて受け取った場合に、各薬の服用方法に従って正確に薬を服用することができるように、薬を１回に服用すべき単位で分別して収納可能とした薬箱が提案されている。この薬箱は、例えば、登録実用新案公報第3058488号公報に示されるように、前面が開口された直方体状の箱体に、複数の薬小分け部を有する薬収納体が上下２段に引き出し自在に挿嵌された構成からなり、各薬収納体に１週間分の薬が収納可能とされ、合計２週間分の薬が収納できるようになっている。そして、各薬収納体の薬小分け部に、１回に服用すべき単位で薬を分別して収納しておき、箱体から薬収納体を引き出して、毎回の服用すべき薬を薬小分け部から取り出すようになっている。この薬箱によれば、２週間分の服用薬を一度に分別してしまうことができる。
【０００３】
【発明が解決しようとする課題】
しかしながら、上記の薬箱によれば、上下２段の薬収納体に各１週間分の薬を収納するようになっているため、服用すべき薬を取り出す場合は、服用すべき薬が上下２段のどちらに収納されているかを把握しておき、該当するいずれかの薬収納体を引き出して薬小分け部から薬を取り出さなければならない。このとき、服用する薬を取り出す薬収納体を間違えると、誤った薬を服用してしまうおそれがある。また、病気によっては、多くの薬を何年間も毎日飲み続けなければならないため、毎回の服用時に患者にかかる負担を少しでも軽くする必要がある。この弊害を防止するため、薬収納体を１段のみの構成とすることも考えられるが、この場合は薬を分別する作業を毎週行わなければならず、分別作業の煩わしさが増すことになる。
【０００４】
本発明は、上述した問題点を解決するためになされたものであり、複数週間分の薬を服用する単位毎に分別して収容することが可能であり、しかも、服用すべき薬を的確かつ簡単に取り出すことができる薬箱を提供することを目的とする。
【０００５】
【課題を解決するための手段】
上記目的を達成するために本発明は、薬を１回に服用すべき単位で分別して収納可能な薬箱であって、
上面及び前面が開口された箱体と、
前記箱体にその前面から引き出し自在に取り付けられ、各回服用分の薬を収容可能である薬分別部が複数形成され、前記箱体の前面からの引き抜きにより上下段の当該薬収納ケースを取り換え可能に前記箱体に収容されている複数の薬収納ケースと、
前記箱体の上部の背面部に回動自在に取り付けられ、当該箱体の上面を開閉自在とし、開けた状態において、前記箱体内に備えられている最上段の前記薬収納ケースのみを開放する上蓋部と、
前記箱体の前面下部に回動自在に取り付けられ、当該箱体の前面を開閉自在とし、当該箱体の前面を開けた状態において、前記薬収納ケースを前記引き出し及び引き抜き可能な状態に開放する前面扉部とを備え、
前記上蓋部には、当該上蓋部が前記最上段の前記薬収納ケースを覆って前記箱体の上部を閉じた状態であるときに、前記箱体の前面を閉じた状態にある前記前面扉部の上部に係止して当該前面扉部の回動動作を規制する位置に係止部が設けられ、当該係止部は、前記上蓋部が最上段の前記薬収納ケースを開放する状態にあるときに前記前面扉部との係止が解除されるものである。
【０００６】
この構成によれば、上蓋を開けて服用すべき薬を取り出す場合、最上段の薬収納ケースのみから薬を取り出すことになるため、複数の薬収納ケースに毎回の服用薬を収納していても、服用薬が収められた薬収納ケースを間違えることなく、該当する服用薬を的確に取り出すことができる。また、前面扉部を開放すれば、複数の薬収納ケースを引き出して、一度に複数週間分の服用薬を分別して収納しておくことが可能であり、また、最上段の薬収納ケースの薬がなくなった場合には上下段の薬収納ケースを入れ替えることが可能である。
【０００７】
また、前記前面扉部は、前記上蓋部を閉じた状態では開閉が禁止され、前記上蓋部を開けた状態でのみ開閉が可能に構成され、前記上蓋部には前記前面扉部と係止する係止部が設けられており、当該係止部は前記上蓋部を閉じたときに前記前面扉部に係止して前記前面扉部の開閉が禁止され、前記上蓋部を開けたときは前記前面扉部との係止が解除されて前記前面扉部の開閉が可能とされるので、上蓋を開けない状態で不測に前面扉が開いて薬収納ケースが飛び出してしまうことがない。
【０００８】
また、前記前面扉部を閉じた状態において、前面扉部の内壁面と少なくとも最上部の前記薬収納ケースの前面部とが当接し、当該薬収納ケースの後端部が前記箱体の内壁に当接するように構成すれば、最上部の薬収納ケースと箱体との間に隙間がないので、上蓋部を開けた場合にも、下方の薬収納ケースへの埃の侵入を少なくすることができる。
【０００９】
また、前記箱体の底面の４隅にすべり止めが取り付けるようにすれば、薬箱を放置した状態で衝撃が加わっても容易には移動しないため、内部に収納されている薬の分別が乱れたり、薬箱が棚の上から落下して収納されている薬が箱外に出てしまうといった事態を防止することができる。
【００１０】
【発明の実施の形態】
以下、本発明の一実施形態に係る薬箱について図面を参照して説明する。図１は本発明に係る薬箱の外観を示す斜視図、図２は当該薬箱の上蓋部及び前面扉部を開いた状態を示す斜視図、図３は当該薬箱の断面図、図４は当該薬箱の箱体の下面図、図５は当該薬箱の上蓋部を開いた状態を示す斜視図である。なお、図２は薬箱の内部構造を明確にするために取手部を図示しないものとする。
【００１１】
本発明に係る薬箱１は、薬を１回に服用すべき単位で分別して収納可能とするものであり、上面及び前面が開口された箱体２と、箱体２にその前面から引き出し自在に取り付けられた上下２段の薬収納ケース３と、箱体２の上部に開閉自在に取り付けられた上蓋部４と、箱体２の前面に開閉自在に取り付けられた前面扉部５とを備え、更には持ち運びの便利性を考慮して取手部６が箱体２の側面に取り付けられている。
【００１２】
上記箱体２には、その側壁２１の内側に、上段の薬収納ケース３を引き出し自在に支持する案内レール２２が設けられており、箱体２内の前面部には当該上段の薬収納ケース３を引き出した状態で安定して支持するために支持台２３が設けられている。また、箱体２内の下部２４には、下段の薬収納ケース３が引き出し自在に載置され、下部２４は、前面扉部５を開いた場合に、薬収納ケース３を前面扉部５に干渉させずに引き出し可能となるように上方へ突出させて形成されている。
【００１３】
薬収納ケース３は箱体２の前面から図２の矢印方向に引き出し自在とされており、各回服用分の薬が収容可能である薬分別部３１が複数形成されている。この薬分別部３１は、薬収納ケース３の引き出し方向（以下、縦方向という）に７つ並べて形成され、当該引出し方向に直交する方向（以下、横方向という）には４つ並べて形成されている。従って、縦方向に並ぶ薬分別部３１を利用して月曜日から日曜日までの薬を分別することができ、横方向に並ぶ薬分別部３１を利用して、各曜日毎に朝，昼，夜，就寝前等、４回服用分の薬を分別することができるようになっている。
【００１４】
また、図３に示すように、薬収納ケース３は、その前面に引出部３２が形成されており、引出部３２の下方から手を挿し入れることによって薬収納ケース３を手前側に引き出すことが可能とされている。上段の薬収納ケース３の引出部３２は、薬収納ケース３を箱体２内に収納した状態において、後述する前面扉部５の取手部５１の凹部５１ａを含み前面扉部５の内壁に当接し、更に薬収納ケース３の後端部が箱体２の内壁に当接するように構成されている。これにより、後述する前面扉部５の取手部５１の凹部５１ａから箱体２内への埃の侵入が防止され、また、上蓋部４を開けた状態でも、前面扉部５と引き出部３２との間から下段の薬収納ケース３に埃が侵入しないようになっている。さらに薬収納ケース３の下部には、上記案内レール２２又は箱体２の下部２４に当接して摺動する摺動部３３が形成されている。
【００１５】
前面扉部５は、その下端部を支点として回動自在となるように箱体２の前面部分に取り付けられている。また、前面扉部５の略中央部には、前面扉部５を手前に引き倒すための取手部５１が設けられており、この取手部５１は、手（指）を挿し入れるための開口として凹部５１ａと、凹部５１ａに挿し入れた手（指）を掛けるための突出部５１ｂとからなる。また、特に図示していないが、前面扉部５の側面部の上端部分には凸部が設けられており、箱体２の内壁に設けられた凹部と嵌合することによって、前面扉部５が閉じた状態が保持されるようになっている。
【００１６】
上蓋部４は、箱体２の背面部２５に設けられている軸支部２６を支点として回動自在となるように箱体２に取り付けられている。上蓋部４の前面部分には、上蓋部４を上方へ持ち上げやすくするために鍔部４１が設けられている。この鍔部４１の下面部には、前面扉部５の外壁上部に係止して前面扉部５の回動を規制する凸状の係止部４２が下方に延びるように設けられている。
【００１７】
また、図４に示すように、箱体２の底面部２７には、下方に突出させて、箱体２の外周に沿った支持部２７ａが設けられており、更に支持部２７ａの内周部にも支持部２７ｂが設けられている。底面部２７にこれら２つの支持部２７ａ，２７ｂが設けられていることによって薬箱１の姿勢が安定するようになっている。更に支持部２７ａの４隅のコーナー部には、ゴム等の弾性部材からなるすべり止め２８が取り付けられている。このすべり止め２８によって、薬箱１を放置した状態で衝撃が加わっても容易には移動しないため、薬箱１の内部に収納されている薬の分別が乱れること等が防止される。
【００１８】
次に、薬箱１からの薬の取り出しについて説明する。薬箱１から、その内部の薬収納ケース３に収納されている薬を取り出す場合は、図５に示すように、上蓋部４を開けて箱体２内の上段の薬収納ケース３の上方を開放して、この上段の薬収納ケース３から薬を取り出す。すなわち、上蓋部４を閉じた状態では、上述したように、鍔部４１に設けられている係止部４２が前面扉部５に係止し、前面扉部５の回動動作を規制するために前面扉部５を開けることができないため、下段の薬収納ケース３を引き出すことができない。従って、上蓋部４を開いた状態では、上段の薬収納ケース３の上方のみが開放され、下段の薬収納ケース３から薬を取り出すことはできない。
【００１９】
上段の薬収納ケース３に収納されている薬が全て取り出されたときは、上蓋部４を開けた状態で、前面扉部５を手前に引き倒し、上段及び下段の薬収納ケース３を箱体２から引き出して上下を入れ替える。そして再び前面扉部５を閉じた状態とすれば、上段の薬収納ケース３に収納されている薬のみを取り出すことができる状態になる。
【００２０】
また、上段及び下段の薬収納ケース３に収納されている薬が全て取り出され、上段及び下段の薬収納ケース３に２週間分の薬を分別するときは、前面扉部５を手前に引き倒して開け、箱体２から上段及び下段の薬収納ケース３を引き出して、服用毎に薬を分別して収納することができる。
【００２１】
このように、本実施形態の薬箱１によれば、１週間分の薬を収納できる薬収納ケース３を上下２段に備えているので、２週間分の服用薬を一度に分別することができることに加え、さらに、服用すべき薬を薬箱１から取り出そうとして上蓋部４を開くと上段の薬収納ケース３の上方が開放され、当該上段の薬収納ケース３のみから薬を取り出すことになるので、服用薬を取り出す薬収納ケース３を間違えることがないし、薬が上下段のいずれに収納されているかを記憶しておく必要もない。
【００２２】
なお、本発明は上記実施の形態の構成に限られず種々の変形が可能である。例えば、上記実施の形態では、薬箱１は、薬収納ケース３を上下２段に備えた構成とされているが、この構成に限定されるものではなく、更に多くの薬収納ケース３を備え、数週間分の服用薬を一度に分別することができるようにしてもよい。この場合、前面扉部５を閉じた場合には最上段の薬収納ケース３の上方のみが開放される構成にする。さらに、薬収納ケース３に形成される薬小分け部３１は、上記実施形態に示したような縦方向に７つ、横方向に４つの構成に限られるものではなく、適宜変更が可能である。
【００２３】
また、上記実施形態では、上蓋部４は、箱体２に対して回動することによって開閉する構成とされているが、例えば、上蓋部４を箱体２に対してスライド移動する構成としてもよい。この場合、上蓋部４に設けられる係止部４２を凸状の突起等とし、この凸状の突起に嵌合する凹部を前面扉部５に設けておくことによって、上蓋部４と前面扉部５とが係止して前面扉部５の開閉が禁止されるようにしてもよい。
【００２４】
【発明の効果】
以上のように本発明によれば、上蓋を開けて服用すべき薬を取り出す場合、最上段の薬収納ケースのみから薬を取り出すことになるため、複数の薬収納ケースに毎回の服用薬を収納していても、服用薬が収められた薬収納ケースを間違えることなく、該当する服用薬を的確に取り出すことができる。また、前面扉部を開放すれば、複数の薬収納ケースを引き出して、一度に複数週間分の服用薬を分別して収納しておくことが可能なので分別作業の煩わしさが軽減する。さらには、最上段の薬収納ケースの薬がなくなった場合には上下段の薬収納ケースを入れ替えることが可能である。これにより、多くの薬を何年間も毎日飲み続けなければならない場合における、毎回の服用時に患者にかかる負担が軽くなる。
【００２５】
また、前面扉部は、上蓋部を閉じた状態では開閉が禁止され、上蓋部を開けた状態でのみ開閉が可能に構成され、上蓋部には前面扉部と係止する係止部が設けられており、当該係止部は上蓋部を閉じたときに前面扉部に係止して前面扉部の開閉が禁止され、上蓋部を開けたときは前面扉部との係止が解除されて前記前面扉部の開閉が可能とされているので、上蓋を開けない状態で不測に前面扉が開いて薬収納ケースが飛び出してしまうことがない。
【００２６】
また、前面扉部を閉じた状態において前面扉部の内壁面と薬収納ケースの前面部とが密着するように構成すれば、最上部の薬収納ケースと箱体との間に隙間がないので、上蓋部を開けた場合にも、下方の薬収納ケースへの埃の侵入を防止することができる。
【００２７】
また、箱体の底面の４隅にすべり止めが取り付けるようにすれば、薬箱を放置した状態で衝撃が加わっても容易には移動しないため、内部に収納されている薬の分別が乱れたり、薬箱が棚の上から落下して収納されている薬が箱外に出てしまうといった事態を防止することができる。
【図面の簡単な説明】
【図１】  本発明に係る薬箱の外観を示す斜視図である。
【図２】  上記薬箱の上蓋部及び前面扉部を開いた状態を示す斜視図である。
【図３】  上記薬箱の断面図である。
【図４】  上記薬箱の箱体の下面図である。
【図５】  上記薬箱の上蓋部を開いた状態を示す斜視図である。
【符号の説明】
１    薬箱
２    箱体
３    薬収納ケース
４    上蓋部
５    前面扉部
２７  底面部
２８  すべり止め
４２  係止部
【図１】
0004560240.tif 000002
【図２】
0004560240.tif 000003
【図３】
0004560240.tif 000004
【図４】
0004560240.tif 000005
【図５】
0004560240.tif 000006